【手続補正書】
【提出日】平成21年9月9日(2009.9.9)
【手続補正１】
【補正対象書類名】特許請求の範囲
【補正対象項目名】全文
【補正方法】変更
【補正の内容】
【特許請求の範囲】
【請求項１】
青色光を発光する青色発光素子およびこの青色発光素子上に被覆された透明樹脂層を有する第１の発光部と；
青色光を発光する青色発光素子およびこの青色発光素子上に被覆され前記青色光により励起されて青色光以外の単色光を発光する蛍光体を含み、前記青色光のピーク波長における発光強度が前記蛍光体のピーク波長における発光強度の３５％以下である分光スペクトルを有する第２の発光部；
を具備することを特徴とする発光装置。
【請求項２】
第２の発光部として、前記青色光により励起されて緑色光を発光する緑色発光蛍光体を含む緑色発光部と、前記青色光により励起されて黄色光を発光する黄色発光蛍光体を含む黄色発光部と、前記青色光により励起されて赤色光を発光する赤色発光蛍光体を含む赤色発光部と、を含むことを特徴とする請求項１記載の発光装置。
【請求項３】
近紫外光を発光する近紫外発光素子およびこの近紫外発光素子上に被覆され前記近紫外光により励起されて青色光を発光する蛍光体を含み、前記近紫外光のピーク波長における発光強度が前記蛍光体のピーク波長における発光強度の３５％以下である分光スペクトルを有する青色発光部と；
近紫外光を発光する近紫外発光素子およびこの近紫外発光素子上に被覆され前記近紫外光により励起されて緑色光を発光する蛍光体を含み、前記近紫外光のピーク波長における発光強度が前記蛍光体のピーク波長における発光強度の３５％以下である分光スペクトルを有する緑色発光部と；
近紫外光を発光する近紫外発光素子およびこの近紫外発光素子上に被覆され前記近紫外光により励起されて黄色光を発光する蛍光体を含み、前記近紫外光のピーク波長における発光強度が前記蛍光体のピーク波長における発光強度の３５％以下である分光スペクトルを有する黄色発光部と；
近紫外光を発光する近紫外発光素子およびこの近紫外発光素子上に被覆され前記近紫外光により励起されて赤色光を発光する蛍光体を含み、前記近紫外光のピーク波長における発光強度が前記蛍光体のピーク波長における発光強度の３５％以下である分光スペクトルを有する赤色発光部と；
を具備することを特徴とする発光装置。
【請求項４】
前記発光部が、基板上に所定の配列パターンで配置されていることを特徴とする請求項１ないし３のいずれか１項記載の発光装置。
【請求項５】
前記所定の配列パターンが、ライン状又はマトリックス状であることを特徴とする請求項４記載の発光装置。
【請求項６】
前記発光部からの光により白色光を発光すること特徴とする請求項１ないし５のいずれか１項記載の発光装置。
【請求項７】
前記発光部からの光により可変色域が調整された光を発光することを特徴とする請求項１ないし６のいずれか１項記載の発光装置。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】変更
【補正の内容】
【００１２】
請求項１記載の発光装置は、青色光を発光する青色発光素子およびこの青色発光素子上に被覆された透明樹脂層を有する第１の発光部と；青色光を発光する青色発光素子およびこの青色発光素子上に被覆され前記青色光により励起されて青色光以外の単色光を発光する蛍光体を含み、前記青色光のピーク波長における発光強度が前記蛍光体のピーク波長における発光強度の３５％以下である分光スペクトルを有する第２の発光部；を具備することを特徴としている。
【手続補正４】
【補正対象書類名】明細書
【補正対象項目名】００１３
【補正方法】変更
【補正の内容】
【００１３】
請求項２記載の発光装置は、請求項１記載の発光装置において、第２の発光部として、前記青色光により励起されて緑色光を発光する緑色発光蛍光体を含む緑色発光部と、前記青色光により励起されて黄色光を発光する黄色発光蛍光体を含む黄色発光部と、前記青色光により励起されて赤色光を発光する赤色発光蛍光体を含む赤色発光部と、を含むことを特徴としている。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
請求項３記載の発光装置は、近紫外光を発光する近紫外発光素子およびこの近紫外発光素子上に被覆され前記近紫外光により励起されて青色光を発光する蛍光体を含み、前記近紫外光のピーク波長における発光強度が前記蛍光体のピーク波長における発光強度の３５％以下である分光スペクトルを有する青色発光部と；近紫外光を発光する近紫外発光素子およびこの近紫外発光素子上に被覆され前記近紫外光により励起されて緑色光を発光する蛍光体を含み、前記近紫外光のピーク波長における発光強度が前記蛍光体のピーク波長における発光強度の３５％以下である分光スペクトルを有する緑色発光部と；近紫外光を発光する近紫外発光素子およびこの近紫外発光素子上に被覆され前記近紫外光により励起されて黄色光を発光する蛍光体を含み、前記近紫外光のピーク波長における発光強度が前記蛍光体のピーク波長における発光強度の３５％以下である分光スペクトルを有する黄色発光部と；近紫外光を発光する近紫外発光素子およびこの近紫外発光素子上に被覆され前記近紫外光により励起されて赤色光を発光する蛍光体を含み、前記近紫外光のピーク波長における発光強度が前記蛍光体のピーク波長における発光強度の３５％以下である分光スペクトルを有する赤色発光部と；を具備することを特徴としている。
【手続補正７】
【補正対象書類名】明細書
【補正対象項目名】００１６
【補正方法】変更
【補正の内容】
【００１６】
請求項４記載の発光装置は、請求項１ないし３のいずれか１項記載の発光装置において、前記発光部が、基板上に所定の配列パターンで配置されていることを特徴としている。
【手続補正８】
【補正対象書類名】明細書
【補正対象項目名】００１７
【補正方法】変更
【補正の内容】
【００１７】
請求項５記載の発光装置は、請求項４記載の発光装置において、前記所定の配列パターンが、ライン状又はマトリックス状であることを特徴としている。
【手続補正９】
【補正対象書類名】明細書
【補正対象項目名】００１８
【補正方法】変更
【補正の内容】
【００１８】
請求項６記載の発光装置は、請求項１ないし５のいずれか１項記載の発光装置において、前記発光部からの光により白色光を発光すること特徴としている。
【手続補正１０】
【補正対象書類名】明細書
【補正対象項目名】００１９
【補正方法】変更
【補正の内容】
【００１９】
請求項７記載の発光装置は、請求項１ないし６のいずれか１項記載の発光装置において、前記発光部からの光により可変色域が調整された光を発光することを特徴としている。
【手続補正１１】
【補正対象書類名】明細書
【補正対象項目名】００２０
【補正方法】変更
【補正の内容】
【００２０】
上記した請求項１ないし請求項７記載の発明において、用語の定義および技術的意味は、特に指定しない限り以下の通りである。青色発光素子は、主波長が４２０〜４８０ｎｍ（例えば４６０ｎｍ）の青色光を放射し、放射した青色光により蛍光体を励起して可視光を発光させるものである。本発明で用いられる青色発光素子としては、例えば、青色発光タイプのＬＥＤチップなどが挙げられるが、これに限定されるものではない。近紫外光を放射する発光素子は、主波長が３８０〜４１０ｎｍの紫外光を放射し、放射した紫外光により蛍光体を励起して可視光を発光させるものである。本発明で用いられる近紫外光を放射する発光素子としては、例えば近紫外発光タイプのＬＥＤチップなどが挙げられるが、これに限定されるものではない。
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】変更
【補正の内容】
【００２５】
請求項１記載の発光装置によれば、発光部ごとに、混色の少ない、したがって、他の発光色との混色性に優れる（色合わせが容易な）単色光が得られるので、高い演色性を維持しつつ、高い発光効率を得ることが可能であり、かつ所望の色度の光の発光を容易に実現可能な発光装置を提供することができる。
【手続補正１４】
【補正対象書類名】明細書
【補正対象項目名】００２６
【補正方法】変更
【補正の内容】
【００２６】
請求項２および３記載の発光装置によれば、発光部の１つに、発光素子の上に被覆された蛍光体層中に赤色蛍光体を使用しているので、赤色蛍光体が緑色光および黄色光を励起光として吸収することを低減でき、より高い演色性を維持しつつ、より高い発光効率を得ることが可能であり、かつ所望の色度の光の発光を容易に実現可能な発光装置を提供することができる。
【手続補正１５】
【補正対象書類名】明細書
【補正対象項目名】００２７
【補正方法】変更
【補正の内容】
【００２７】
請求項４記載の発光装置によれば、発光部が、基板上に所定の配列パターンで配置されているので、輝度の高い発光装置を提供することができる。
【手続補正１６】
【補正対象書類名】明細書
【補正対象項目名】００２８
【補正方法】変更
【補正の内容】
【００２８】
請求項５記載の発光装置によれば、前記所定の配列パターンがライン状またはマトリックス状であり、蛍光体のばらつきが抑制されるので、色度などのばらつきの少ない発光を得ることができる。
【手続補正１７】
【補正対象書類名】明細書
【補正対象項目名】００２９
【補正方法】変更
【補正の内容】
【００２９】
請求項６記載の発光装置によれば、黒体放射からの偏差の少ない所望の色温度における白色光を得ることができる。
【手続補正１８】
【補正対象書類名】明細書
【補正対象項目名】００３０
【補正方法】変更
【補正の内容】
【００３０】
請求項７記載の発光装置によれば、色度において所望の方向への可変色化が可能であるので、可変色域が調整された所望の色度の光を得ることができる。よって用途に応じた範囲での可変色のラインナップが可能となる。